【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
ゲートラインと、前記ゲートラインと交差するデータラインと、
絶縁層を介して形成された上部電極層と下部電極層と、を有し、前記上部電極層に電界を通す開口部を形成して前記下部電極層との間に電圧を印加して液晶分子を駆動する素子基板と、
前記素子基板に液晶層を介して対向し、各画素に対応してカラーフィルタが配置される対向基板と、
を備え、
前記ゲートラインと前記データラインの交差に対応して画素が配置され、
前記開口部は開口の長手方向端部にエッジ部分を有し、
前記カラーフィルタは、前記エッジ部分に対応する部分には形成されていないことを特徴とする液晶表示装置。
【請求項２】
請求項１に記載の液晶表示装置において、
前記対向基板にはブラックマトリクスが配置され、
前記カラーフィルタは、前記画素の前記ブラックマトリクスで囲まれる画素表示領域において、前記エッジ部分に対応する部分を除いて配置されることを特徴とする液晶表示装置。
【請求項３】
請求項２に記載の液晶表示装置において、
前記画素は複数の前記開口部を有し、
前記複数の開口部の前記長手方向端部が前記ゲートラインに沿って配置され、
前記カラーフィルタは、前記画素表示領域の前記ゲートラインに沿った部分には形成されていないことを特徴とする液晶表示装置。
【請求項４】
請求項２に記載の液晶表示装置において、
前記画素は複数の前記開口部を有し、
前記複数の開口部の前記長手方向端部が前記データラインに沿って配置され、
前記カラーフィルタは、前記画素表示領域の前記データラインに沿った部分には形成されていないことを特徴とする液晶表示装置。
【請求項５】
請求項３または請求項４に記載の液晶表示装置において、
前記カラーフィルタは、前記ブラックマトリクスの幅寸法に前記開口部の幅寸法を加えた長さ以上の間隔で、夫々の前記画素表示領域に配置されることを特徴とする液晶表示装置。
【請求項６】
請求項１に記載の液晶表示装置において、
前記長手方向端部は、円弧形状をなし、
前記カラーフィルタは、前記長手方向端部の対向する一対の４半円部分に対応する部分を除いて配置されていることを特徴とする液晶表示装置。
【請求項７】
請求項１に記載の液晶表示装置において、
前記カラーフィルタが除かれて配置される前記エッジ部分に対応する部分は、前記長手方向端部の接線方向が液晶分子を初期配向するラビング方向となす角度が０度より小さく−９０度よりも大きい領域であることを特徴とする液晶表示装置。
【手続補正２】
【補正対象書類名】明細書
【補正対象項目名】０００６
【補正方法】変更
【補正の内容】
【０００６】
例えば、特許文献１には、ＦＦＳ液晶表示装置において、上部基板のブラックマトリクスと下部基板の画素電極のエッジ部とが所定領域オーバーラップされこれらの両基板間に液晶が介在する構成の場合、ブラックマトリクスと画素電極との間の電気場干渉によって、画素電極のエッジ部の端部から中心部に行くにつれて液晶分子の捩れ角度がほぼ９０度程度になって垂直方向に配置されるが、エッジ部が露光工程上の限界により曲線形状を有するので、ホワイト階調のとき、ラビングの跡、すなわちディスクリネーション（転傾線）が発生することを指摘している。
【手続補正３】
【補正対象書類名】明細書
【補正対象項目名】００１１
【補正方法】変更
【補正の内容】
【００１１】
本発明に係る液晶表示装置は、ゲートラインと、前記ゲートラインと交差するデータラインと、絶縁層を介して形成された上部電極層と下部電極層と、を有し、前記上部電極層に電界を通す開口部を形成して前記下部電極層との間に電圧を印加して液晶分子を駆動する素子基板と、前記素子基板に液晶層を介して対向し、各画素に対応してカラーフィルタが配置される対向基板と、を備え、前記ゲートラインと前記データラインの交差に対応して画素が配置され、前記開口部は開口の長手方向端部にエッジ部分を有し、前記カラーフィルタは、前記エッジ部分に対応する部分には形成されていないことを特徴とする。
【手続補正４】
【補正対象書類名】明細書
【補正対象項目名】００１２
【補正方法】変更
【補正の内容】
【００１２】
また、本発明に係る液晶表示装置において、前記対向基板にはブラックマトリクスが配置され、前記カラーフィルタは、前記画素の前記ブラックマトリクスで囲まれる画素表示領域において、前記エッジ部分に対応する部分を除いて配置されることが好ましい。また、前記画素は複数の前記開口部を有し、前記複数の開口部の前記長手方向端部が前記ゲートラインに沿って配置され、前記カラーフィルタは、前記画素表示領域の前記ゲートラインに沿った部分には形成されていないことが好ましい。また、前記画素は複数の前記開口部を有し、前記複数の開口部の前記長手方向端部が前記データラインに沿って配置され、前記カラーフィルタは、前記画素表示領域の前記データラインに沿った部分には形成されていないことが好ましい。
【手続補正５】
【補正対象書類名】明細書
【補正対象項目名】００１３
【補正方法】変更
【補正の内容】
【００１３】
また、本発明に係る液晶表示装置において、前記カラーフィルタは、前記ブラックマトリクスの幅寸法に前記開口部の幅寸法を加えた長さ以上の間隔で、夫々の前記画素表示領域に配置されていることが好ましい。
【手続補正６】
【補正対象書類名】明細書
【補正対象項目名】００１４
【補正方法】変更
【補正の内容】
【００１４】
また、本発明に係る液晶表示装置において、前記カラーフィルタは、前記長手方向端部は、円弧形状をなし、前記長手方向端部の対向する一対の４半円部分に対応する部分を除いて配置されていることが好ましい。また、本発明に係る液晶表示装置において、前記カラーフィルタが除かれて配置される前記エッジ部分に対応する部分は、前記長手方向端部の接線方向が液晶分子を初期配向するラビング方向となす角度が０度より小さく−９０度よりも大きい領域であることが好ましい。
【手続補正７】
【補正対象書類名】明細書
【補正対象項目名】００２４
【補正方法】変更
【補正の内容】
【００２４】
各サブピクセルには、一部がゲート電極２８となるゲートラインと、データライン３５とが互いに直交するようにして配線され、その交差箇所にスイッチング素子であるＴＦＴ素子８０が配置される。ゲートラインは、スイッチング素子８０のところで、図１に示されるゲート電極２８となり、データライン３５は、図１に示されるソース・ドレイン電極３２に接続される。このように、液晶表示装置１０は、複数のゲートラインと複数のデータライン３５との各交差箇所にＴＦＴ素子８０がそれぞれ配置されており、いわゆるアクティブマトリクス表示装置である。なお、ゲートラインは、走査ライン、走査線、走査信号線とも呼ばれ、データライン３５は、信号ライン、信号線、ビデオ信号ライン、映像信号線等とも呼ばれる。
【手続補正８】
【補正対象書類名】明細書
【補正対象項目名】００３７
【補正方法】変更
【補正の内容】
【００３７】
液晶表示装置１００において、ブラックマトリクス６４は、各サブピクセルにおいて、金属配線等がユーザに視認されないように配置される。図２の例で説明すると、一部がゲート電極２８となるゲートラインと、データライン３５と、共通電極配線２９とを覆うようにブラックマトリクス６４が配置される。
【手続補正９】
【補正対象書類名】明細書
【補正対象項目名】００５６
【補正方法】変更
【補正の内容】
【００５６】
１０，１００，１１０  液晶表示装置、２０，１２０  素子基板、２２、６２  ガラス基板、２４  半導体層、２６  ゲート絶縁膜、２８  ゲート電極、２９  共通電極配線、３０  層間絶縁膜、３２，３３  ソース・ドレイン電極、３４  共通電極接続部、３５  データライン、３６  絶縁膜、３８  画素電極、４０  ＦＦＳ絶縁膜、４２  共通電極、４３  開口部、５０  液晶層、６０，１６０，１７０  対向基板、６４  ブラックマトリクス、６６，６７，６８，６９，２０２  カラーフィルタ、７０  対応する部分、８０  ＴＦＴ素子、２００  サブピクセル、２０４，２０６  除去領域。
【手続補正１０】
【補正対象書類名】図面
【補正対象項目名】図１
【補正方法】変更
【補正の内容】
【図１】
2008170543.tif 000001